Podtech/llm-jp-corpus-v4-ja_patent huggingface dataset:
(57)【要約】【課題】  人体腰仙部の帯状体幹装具の装着後における上方移動の通性を抑制、活発な動作時の着用にも帯部の固定位置を保持する体幹装具を提供し、使途目的や業務環境に応じた衣服への転用を可能にする。【解決手段】  体幹装具の装着後の問題点である上方移動の通性と、パンツの着衣後の問題点である下方移動の通性を結合して相殺、両者の物品を一体化させた体幹装具付きパンツの構築によって体幹装具の上行を抑制、定位置に保持させるものである。【選択図】  図４
2005146494.tif 000002
【特許請求の範囲】
【請求項１】
腰仙部体幹装具（１）とパンツ（２）を接合して一体化した腰仙部支持用パンツ。
【請求項２】
副子や支柱、支持板、支持板パッド（８）を固着又は装着した腰仙部体幹装具（１）をパンツ（２）に接合した請求項１記載の腰仙部支持用パンツ。
【請求項３】
腰仙部体幹装具（１）及びパンツ（２）に留具もしくは着脱自在テープを固着し、（１）と（２）の着脱が可能な請求項１、２記載の腰仙部支持用パンツ。
【請求項４】
腰仙部体幹装具（１）及びパンツ（２）に留具もしくは着脱自在テープを固着した請求項３に係る腰仙部体幹装具及びパンツ。
【発明の詳細な説明】
【発明の詳細な説明】
【技術分野】
【０００１】  本発明は、人体の脊柱及び腰仙部の支持を目的とする体幹装具付きパンツ並びにその構築に関する。
【背景技術】
【０００２】  人体の腰仙部体幹装具は、腹圧を高めて腰仙部へのストレスを軽減することを主目的とするため、体幹を周回する帯状の腹巻型装具であるのが通例である。
【発明が解決しようとする課題】
【０００３】  帯状の体幹装具は体幹部への装着後、体幹の形態的、運動的事由から固定位置が上方に移動する問題点を通性とする。例えば、坐位においては装具下縁が上前腸骨棘の上方に押し上げられ、立位においても脊柱運動や下肢運動によって装具の固定位置が上行するのが通常である。従って、帯状の体幹装具は簡易型の基材といえども活発な動作を伴う業務時の着用には馴染まないのが実際である。
【課題を解決するための手段】
【０００４】  本発明は、体幹装具とパンツを一体化させるものである。上方移動しようとする体幹装具の通性に対して、パンツは着衣後において専ら下方移動する問題点を通性とする。図１は、着座過程における股関節の屈曲、膝関節の屈曲時に際し、上方移動しようとする体幹装具１の通性と、下方移動しようとするパンツ２の通性を示す側面図である。そこで、本発明は体幹装具１とパンツ２の両者を接合、一体化させることによって両者の拮抗する問題点である通性を相殺させ、体幹装具の上行を抑制、定位置に保持させるというものである。
【発明を実施するための最良の形態】
【０００５】  ここでいう腰仙部体幹装具１とは腹圧を高める帯状の基材であり、パンツ２との一体化には両者が固着されているものと、１と２の両者に留具や着脱自在テープを設けて接合と分離が可能なものがある。後者はパンツ部分の取替えを容易にする利便性がある。１と２が一体化された物品は、図２において、前閉じ型パンツに一体化された体幹装具の帯部３は体幹部を周回して連続し、図３において、前開き型パンツに一体化された体幹装具の帯部４は前腹部で中断され、着衣時に着脱自在テープ５や留具等によって連結する。【０００６】  図４は、体幹装具とパンツを一体化した物品の基本型を示す背面図である。体幹装具の帯部６の基材はパンツ上部において腹部と腰仙部を周回するように配置され、腰仙部においてはポケット７設けて支持板パッド８を装着、又は着脱自在テープ９で装着される。また、支持固定力に応じて前腹や側腹、腰仙部に副子や支柱、支持板、支持板パッドを設ける。尚、パンツには股下の長短、下着や外着の区別はなく、本物品は医療用から日常用、作業着や運動着等へ転用される。
【発明の効果】
【０００７】  本発明は、腰仙部体幹装具の上方移動を抑制し、固定位置の保持を可能にすることから、活発な動作を伴う業務時の着用に対応する。また、体幹装具と一体化した腰仙部支持用パンツは使途目的や業務環境に応じた衣服へ転用し、従来型の独立した腹巻型装具の着脱作業を省略する合理性を提供する。本物品は腹圧上昇による腰部の安定支持、支持板等による下位腰椎の椎間内圧の軽減、仙腸関節の安定支持に働き、腰部損傷の予防や再発予防、腰部のストレス疲労の軽減に適応する。
【図面の簡単な説明】
【０００８】
【図１】  腰仙部体幹装具の通性とパンツの通性を示す側面図である。
【図２】  前閉じ型の体幹装具付パンツの前面図である。
【図３】  前開き型の体幹装具付パンツの前面図である。
【図４】  体幹装具付パンツの背面図である。
【符号の説明】
１  腰仙部体幹装具
２  パンツ
３  体幹装具の帯部
４  体幹装具の帯部
５  着脱自在テープ
６  体幹装具の帯部
７  ポケット
８  支持板パッド
９  着脱自在テープ
【図１】
2005146494.tif 000003
【図２】
2005146494.tif 000004
【図３】
2005146494.tif 000005
【図４】
2005146494.tif 000006
(57)【要約】【課題】従来の遠赤外線使用製品は人体の肌に直接当てる使用方法の製品であり、寒いときは遠赤外線使用製品を利用し、暑くなったら遠赤外線使用製品を外すような工夫により体温の温度調節を自由に行うことができない問題点がある。また、温熱効果も低い製品が多く、肌から離して使用するのに適していない。羽毛や羊毛は空気を含むので厚みが必要である。【解決手段】遠赤外線を発生する特殊炭素やアルカリカンラン石粉末を不織布に含浸、接着、付着等をさせて形成した軽量の遠赤外線温熱不織布と布地を縫着したたり、片面に金属箔、金属蒸着シート等を張って衣服の裏地やコートのライニングに使用し、衣服の裏地を軽量化し、温熱効果と関節や筋肉の痛みの治癒効果を求める。【選択図】    図１
2005146492.tif 000002
【特許請求の範囲】
【請求項１】
遠赤外線を発生する特殊炭素と不織布よりなる遠赤外線温熱不織布と布地を縫着して衣服の裏面に使用することを特徴とする遠赤外線温熱裏地及びライニング。
【請求項２】
遠赤外線を発生するアルカリカンラン石と不織布よりなる遠赤外線温熱不織布と布地を縫着して衣服の裏面に使用することを特徴とする遠赤外線温熱裏地及びライニング。
【請求項３】
遠赤外線を発生する特殊炭素、アルカリカンラン石及び不織布よりなる遠赤外線温熱不織布と布地を縫着して衣服の裏面に使用することを特徴とする遠赤外線温熱裏地及びライニング。
【請求項４】
片面を布地に縫着した遠赤外線温熱不織布の反対面を金属箔、金属蒸着シート、金属蒸着フィルム、金属蒸着不織布、金属蒸着織布、金属蒸着メッシュ等より選択される少なくとも一種に接着したことを特徴とする請求項１、２及び３に記載の遠赤外線温熱裏地及びライニング。
【発明の詳細な説明】
【技術分野】
【０００１】  本発明は、遠赤外線を発生するシートを使用しての衣服やコートの裏地やライニングの温熱効果に関する。
【背景技術】
【０００２】  外気が冷たいと寒いと感じ、自律神経のうち交感神経が働いて皮膚の血管が縮み、体温ができるだけ皮膚から奪われないようにしている。しかし、寒さで体が冷えたり、関節が痛んだりする。着用している衣服やコートの生地は外気が皮膚に当たるのを阻止して身体の保温を目的とし、しかもできるだけ軽量にすることを心掛けている。それでも、薄着をして外出し、寒さに震えることが多い。関節に痛みのある人や、神経痛を患っている人は寒さに弱く、特に保温に心掛ける必要がある。婦人や年配者も寒さからの保護に注意が必要とされている。
保温用に羽毛、羊毛等を使用した衣服もある。また、遠赤外線を発生するセラミックスや木炭を繊維に織り込んだ布地を使用してスラックス、腹巻き、ひざ当て、ひじ当て、下着等にして保温を行おうとしている。
【発明の開示】
【発明が解決しようとする課題】
【０００３】  強弱の差はあるが、鉱物や炭素化した植物から遠赤外線の電磁波が発生していることが知られている。この遠赤外線を有する物質を使用して電磁波の治療効果と保温効果を求めるための製品が販売されている。しかし、従来の遠赤外線使用製品は人体の肌に直接当てる使用方法の製品であり、寒いときは遠赤外線使用製品を利用し、暑くなったら遠赤外線使用製品を外すような工夫により体温の温度調節を自由に行うことができない問題点がある。また、温熱効果も低い製品が多く、肌から離して使用するのに適していない。
羽毛や羊毛は空気を含むので保温性が高く、寒い時期や寒冷地で使用するのに適している。しかし、保温性を求めると厚みが必要となり、身軽に使用することができないため、運動性を好む人には適していない。
【課題を解決するための手段】
【０００４】  遠赤外線を発生する特殊炭素を不織布に含浸、接着、付着等をさせることにより軽量の遠赤外線温熱不織布を作成することができる。この温熱不織布をそのまま使用すると黒い炭素粉末が落ちるので、薄い布地の間に挟んで縫製すると確りした温熱布地とすることができる。片面に金属箔を張ると体温の輻射熱により温熱効果は高まる。
アルカリカンラン石は育成光線となる遠赤外線を発生し、生物の生理活性を上昇させる効果を有している。アルカリカンラン石を粉末にして不織布に含浸、接着、付着等をさせることにより、遠赤外線温熱不織布とすることができる。薄い布地の間に挟んで縫製すると確りした温熱布地となり、片面に金属箔、金属蒸着シート、金属蒸着フィルム、金属蒸着不織布、金属蒸着織布、金属蒸着メッシュ等を張ることもできる。
上記遠赤外線温熱不織布は不織布に替えて布地やメッシュを使用することもでき、遠赤外線温熱不織布を衣服の裏地やコートのライニングに使用する際に軽量化する方法ともなる。また、特殊炭素の遠赤外線温熱不織布へアルカリカンラン石粉末を付着させると、遠赤外線温熱効果を高めることができる。
【発明の効果】
【０００５】  本発明の遠赤外線温熱不織布の効果は下記の通りである。
（イ）衣服やコートの裏地やコートのライニングに使用することにより、温熱効果を得ることができ、首、肩、背中、腰等の冷えの防止になる。
（ロ）従来保温用に使用されている羽毛や羊毛に比較して軽量である。
（ハ）関節や筋肉の痛みに対し治癒効果がある。
（ニ）ファスナー、面ファスナー、ホック、ボタン等を使用して裏地やライニングを取り外し可能とし、取り外した遠赤外線温熱不織布の裏地やライニングを利用して身体の患部の治療用に独立して使用することができる。
【発明を実施するための最良の形態】
【０００６】  以下、本発明の実施の形態について説明する。
遠赤外線を発生する特殊炭素やアルカリカンラン石粉末を不織布に含浸、接着、付着等により形成した遠赤外線温熱不織布を薄い布地の間に挟んで縫製した状態で使用する。片面に金属箔、金属蒸着シート、金属蒸着フィルム、金属蒸着不織布、金属蒸着織布、金属蒸着メッシュ等を張る方法もあり、衣服、パジャマ、オーバーコート、スリーシーズンコート、スプリングコート、レインコート、和装用の道中着、道行、雨コートの裏地やライニングに使用される。遠赤外線温熱不織布を挟み込む布地は限定されず、各種の用途に合った布地を選定できる。そのまま裏地として縫着することもできるが、周囲にファスナー、面ファスナー、ホック、ボタン等を装着して使用することもできる。
【実施例１】
【０００７】  図１は遠赤外線温熱不織布（２）を使用したライニング（１）の一部を切欠した斜視図である。遠赤外線を発生する特殊炭素を接着して構成した遠赤外線温熱不織布（２）を布地（３）、（４）の間に挟み、遠赤外線温熱不織布（２）が動かないように糸（５）で布地（３）、（４）に縫着し、周囲にファスナー（６）を装着した状態を示している。
図２はライニング（１）に使用した遠赤外線温熱不織布（２）の片面を布地（３）に糸（５）で縫着し、反対面をアルミ箔（７）に接着した状態を示す断面図である。
【図面の簡単な説明】
【０００８】
【図１】ライニングの一部を切欠した斜視図である。
【図２】ライニングの片面をアルミ箔に接着した状態を示す断面図である。
【符号の説明】
【０００９】      １  ライニング
２  遠赤外線温熱不織布
３  布地
４  布地
５  糸
６  ファスナー
７  アルミ箔
【図１】
2005146492.tif 000003
【図２】
2005146492.tif 000004
(57)【要約】【課題】ダイエットで、あご及び首廻りのぜい肉は特に解消するのが大変です。その課題を解消するために、ウェイト付きの帽子を提供する。【解決手段】帽子の後頭部にウェイトバンド２で固定したウェイト３を装着し、その帽子をかぶり前後運動を行う事により負荷を与え脂肪の燃焼及び筋肉のたるみを防ぐ様にする。【選択図】図１
2005146491.tif 000002
【特許請求の範囲】
【請求項１】
帽子の後頭部に重りを取付け、前後運動による負荷を与える様にしたあご及び首廻りのぜい肉解消器具。
【発明の詳細な説明】
【発明の詳細な説明】
【技術分野】
【０００１】本発明は、あご及び首廻りのぜい肉を解消するために、帽子の後頭部に重りを取付け、それを頭にかぶり前後運動を行う事により負荷を与え脂肪の燃焼及び筋肉のたるみを防ぐ事ができる様にしたものである。
【背景技術】
【０００２】従来、頭にかぶり前後運動を行う事により、あご及び首廻りのぜい肉を解消する器具はなかった。【０００３】
【特許文献１】特になし
【発明が解決しようとする課題】
【０００４】最近、男女の美容・ダイエット全盛期の中で、部分やせは非常に難しくあご及び首廻りのぜい肉は特に解消するのが大変です。本発明は、その課題を解消するためになされたものである。
【課題を解決するための手段】
【０００５】帽子の後頭部にウェイトバンド２で固定したウェイト３を装着し、その帽子をかぶり前後運動を行う事により負荷を与え脂肪の燃焼及び筋肉のたるみを防ぐ事ができる様にした。
【発明を実施するための最良の形態】
【０００６】以下、本発明の実施の形態について説明する。（イ）．帽子本体１の後頭部にウェイトバンド２で固定したウェイト３を装着する。
【発明の効果】
【０００７】あご及び首廻りのぜい肉の解消はむずかしく、運動メニューにしても二重あごを想定した物は多くはありません。そこでウェイト付きの帽子をかぶり前後運動を行い負荷を与えることで、あご及び首廻りのダイエット効果が期待できる。
【図面の簡単な説明】
【０００８】
【図１】本発明の使用状態を示す立面図である。
【図２】本発明の側面図である。
【符号の説明】
【０００９】      １．帽子本体  ２．ウェイトバンド  ３．ウェイト  ４．顔の輪郭
【図１】
2005146491.tif 000003
【図２】
2005146491.tif 000004
(57)【要約】【課題】手袋を装着したまま容易に手の出し入れができ、装着状態ではできない繊細な手作業やポケットの内容物取り出し等ができる、５本指手袋を提供する。【解決手段】手袋本体１に、腕用締め付け具５と手首用締め付け具６を設け、前記手首用締め付け具６のみを緩め、本体甲部に広く設けた開放口２を開け、手袋の指先部分を引っ張ることにより腕部分は固定されたまま伸縮部７が伸びて、手を前記開放口２から容易に開放できるようにしたことを特徴とする。【選択図】  図１
2005146493.tif 000002
【特許請求の範囲】
【請求項１】
手袋本体の甲部分に広く開閉部を設け、本体手首部分に伸縮素材を用いて長さに可変機能を持たせ、腕部分に締め付けベルトを設けて手袋本体を固定することにより、本体を装着したまま手が開放できる５本指手袋。
【発明の詳細な説明】
【技術分野】
【０００１】本発明は、スノーボードやスキー用途などの厳重な防寒性が必要とされる手袋において、手袋本体の甲部分に開閉部を設け、本体手首部分に伸縮素材を用いることにより、簡単な操作で本体を装着したまま容易に手が開放でき得る、５本指手袋に関するものである。
【技術背景】
【０００２】従来の手袋は、手の平部分の開閉である為に二股式形状であり（例えば、特許文献１参照。）、装着時の自由度に欠ける為、手に持つ物の操作度が悪く意匠性に乏しかったり、限定数の手指のみの露出である為に（例えば、特許文献２参照。）、ポケットに手が入れにくかったり、スリット部分に不安感があるものが多かったが、それらの解決策である手が完全に開放できる５本指手袋は、物理的な難易度が高く、開発されていないのが現状である。
【特許文献１】特開平８−１４１１３２号公報（第１頁、図２）
【特許文献２】特開平２０００−３５５８０７号公報（第１頁、図１）
【発明の開示】
【発明が解決しようとする課題】
【０００３】従来スノーボードやスキーなどの厳重な防寒性が必要とされる手袋では、装着に時間がかかる上に繊細な手作業に限界がある為、必要の度におこなう脱着と手袋の保持による不便が常習であった。本発明は、この課題を解決する為になされたものである。
【課題を解決するための手段】
【０００４】手袋本体１に、腕用締め付け具５と手首用締め付け具６をそれぞれ設け、前記腕用締め付け具５を締めたまま前記手首用締め付け具６を緩め、開閉フラップ４のフラップ先端部分４ａを引っ張り上げることにより甲部に広く設けた開放口２を開け、手袋の指先部分を引っ張ることにより腕部分は固定されたまま伸縮部７が伸びて、手を前記開放口２から容易に開放できるようにした。
【発明の効果】
【０００５】容易に手が開放されることにより利便性が高く、開放時には手袋装着状態では行えない手本来の自然な動きが制限されない。よって装着したままでポケットに手を入れて内容物を取り出したり、携帯無線やディスクプレーヤ等の各種電子機具の操作に支障を来さない。しかも、手袋本体は脱着しないので、手袋の保持に片手を奪われたり、収納場所を必要としないので嵩張らない。
【発明を実施するための最良の形態】
【０００６】以下、本発明の実施の形態について説明する。
（イ）．本体手首部分の伸縮部７に伸縮素材を、表地裏と裏地側の両方に縫製し、本体手首部分に伸縮機能を持たせる。
（ロ）．手袋本体１に拳大の開放口２を設け、係止具３を周囲に縫製するとともに縁部分をテープで端始末する。開閉フラップ４も前記係止具３を周囲に縫い付け、前記手袋本体１の前記開放口２に合わせて縫製する。
（ハ）．前記手袋本体１の手首部分に手首用締め付け具６を、腕部分に腕用締め付け具５をそれぞれ所望の幅と長さで縫製する。
（ニ）．縫製工程を減らし原料費を抑える為に、前記伸縮部７に伸縮素材を用いず手を開放できるようにしてもよい。
（ホ）．前記係止具３にはマジックテープ・ジッパー・釦・フック等を本体使用素材や意匠に合わせて使い分ける。
【図面の簡単な説明】
【０００７】
【図１】本発明の斜視図である。
【図２】本発明の使用により、手が露出した状態を示す斜視図である。
【図３】同じく本発明の使用により、手が開放される状態を示す斜視図である。
【符号の説明】
【０００８】１  手袋本体    ２  開放口    ３  係止具    ４  開閉フラップ
４ａ  フラップ先端部    ５  腕用締め付け具    ６  手首用締め付け具
７  伸縮部
【図１】
2005146493.tif 000003
【図２】
2005146493.tif 000004
【図３】
2005146493.tif 000005
(57)【要約】【課題】自分でカラーリング（毛染め）する時、手や衣服を汚さないようにする為の、ヘアカラーリング用上衣を提供する。【解決手段】胴部（１）の左右に、袖部（２）を有し、各袖部（２）の先端部にそれぞれ手袋部（３）を設け、上部には襟部（６）を有し、開閉自在に形成したことを特徴とする。【選択図】  図１
2005146495.tif 000002
【特許請求の範囲】
【請求項１】
胴部（１）の左右に袖部（２）を有し、各袖部（２）の先端部にそれぞれ手袋部（３）を有することを特徴とする、ヘアカラーリング用上衣。
【請求項２】
胴部（１）を開閉自在に形成したことを特徴とする請求項１記載のヘアカラーリング用上衣。
【請求項３】
胴部（１）上部に襟部（４）を有することを特徴とする請求項１あるいは請求項２記載のヘアカラーリング用上衣。
【発明の詳細な説明】
【技術分野】
【０００１】  この発明は、自分でカラーリング（毛染め）する時に、手や衣服を汚さないようにするためのヘアカラーリング用上衣に関するものである。
【背景技術】
【０００２】  従来は、自分でカラーリングする時は、市販のカラーリング剤の付属品の手袋を使用し、殆どの商品が手袋のみで、ケープは付属されておらず、古いタオルなどを肩に羽織ってやっていた。
【発明の開示】
【発明が解決しようとする課題】
【０００３】  これには、次のような欠点があった。
（イ）タオルなどを羽織るだけでは、上半身と腕がカラーリング剤で汚れる恐れがあった。
（ロ）市販のカラーリングに付いている手袋は、薄いビニールで短く使いにくいし、ケープが付いているものも胸が隠れるくらいの十分な長さではないので、長い髪になるとカバーしきれない面もある。
（ハ）カラーリング剤の液が衣服につくと、洗っても落ちないし、肌に付着すると、放置しない方がいいものなので、万一飛び散ったり垂れたりしないか気にしながらでは、作業がやりづらかった。
【課題を解決するための手段】
【０００４】  胴部（１）の左右に袖部（２）を設ける。そして各袖部（２）の先端部にそれぞれ手袋部（３）有し、一体化している。
本発明は、以上のような構成からなる手袋付きのヘアカラーリング用上衣である。
【発明の効果】
【０００５】  市販のカラーリング剤で、自分でカラーリングをするときに、衣服や手を汚す事なく気軽にできる。汚したくない服を着ていても、着替えずに心配なく行うことができる。胴部（１）を前開きの形状で開閉自在にした事で、脱ぎ着しやすくなっている。上衣と手袋が一体化していることにより、首回りから腕、そして手までも覆えて、肌の弱い人にも安心である。上衣の胴部（１）の長さに変化をつけることで、男女問わずどんな髪の長さの人も利用できる。カラーリング剤を洗い流す際、手と衣服を濡らさずに洗面台で着用したまま洗う事ができる。手袋部（３）は手や指先になじみやすい薄いゴム製等にすることにより、本発明を装着していても、細かい作業が可能である。
【発明を実施するための最良の形態】
【０００６】以下、本発明の実施の形態について説明する。
（イ）胴部（１）の左右に袖部（２）を設け、各袖部（２）の先端部がそれぞれ手袋部（３）となっている。
（ロ）胴部（１）は前開きで開閉自在であり、前開き部に留め部が設けられている。
（ハ）襟部（４）は同じく留め部を有し、首回り（５）に沿うように止めることができ、調節可能である。
本発明は以上のような構造で、これを使用するときは、上衣を羽織り、腕を袖部（２）に通して手袋部（３）をはめ、襟部（４）を自分の首にぴったりと合うように止め、前あき部分も止めて着用し、カラーリングを行う。
使い捨てタイプとして、素材はビニール製で前開き部分の左内側に、貼って剥がせるビニールテープ（６）（紙おむつのテープタイプに使用されているもの）等を取り付ける。本事例においてはビニール製のもので説明するが、これはもちろん布製、紙製等、衣服や肌等を汚さない素材であれば構わない。また手袋部（３）のみ薬剤が染み込まない範囲の素材（薄いゴム製や滑り止め加工されたポリエチレン製など）にする事も可能である。
他の実施例を図４から図６を用いて説明する。
何度も繰り返し使えるタイプとして、図４に示すようにポリエステル又はナイロン（乳幼児用スタイやレインコートに使用されている撥水素材）で、手袋部（３）はゴム製とし、襟部（４）は面ファスナーを設け、止める位置によって調節ができる。前開き部分は紐を設け、結んで止められる。面ファスナーでも構わない。袖部（２）の手袋部（３）切り替え部分にゴム（７）を通すことで、長さを調節できる。
また、図５に示すように胴部（１）の長さを胸部あたりまでの長さとすることで、短い髪の人が利用するのに適している。
本発明においては、市販のカラーリング剤でカラーリングする際、まず着用してから行うが、途中で手袋を外したいときは、図６に示すように袖部（２）と手袋部（３）を別にして、袖口と手袋口にゴム（７）を通すなど、着脱式にしてもよい。
また、留め部についてはボタン、ホック等でも構わない。
【産業上の利用可能性】
【０００７】本発明は髪のカラーリング等に限らず、作業における汚れを防止する際に利用することができる。
【図面の簡単な説明】
【０００８】
【図１】本発明の斜視図である。
【図２】本発明の使用状態を示す斜視図である。
【図３】本発明の前開き部分の実施例図である。
【図４】本発明の他の実施例図である。
【図５】本発明の他の実施例図である。
【図６】本発明の他の実施例図である。
【符号の説明】
【０００９】    １  胴部                          ２  袖部
３  手袋部                        ４  襟部
５  首回り                        ６  ビニールテープ
７  ゴム
【図１】
2005146495.tif 000003
【図２】
2005146495.tif 000004
【図３】
2005146495.tif 000005
【図４】
2005146495.tif 000006
【図５】
2005146495.tif 000007
【図６】
2005146495.tif 000008
(57)【要約】【課題】  消防士毎に消防活動履歴を記録すると共に、適切な健康・安全管理を可能にする消防服を提供することにある。【解決手段】  データを記憶するＩＣチップとデータを非接触で送受信するアンテナを回路基板上に形成したＲＦＩＤ用のＩＤタグ４を上衣１の襟３の中に挿入し、該ＩＤタグ４が電源を内蔵したアクティブ型タグであり、少なくとも消防活動履歴を記録すると共に、各消防活動時の温度をセンシングし記録するようにした消防服１０である。【選択図】      図１
2005146481.tif 000002
【特許請求の範囲】
【請求項１】
データを記憶するＩＣチップとデータを非接触で送受信するアンテナを回路基板上に形成したＲＦＩＤ用のＩＤタグを服地の中に挿入し、該ＩＤタグが電源を内蔵したアクティブ型タグであり、少なくとも消防活動履歴を記録すると共に、各消防活動時の温度をセンシングし記録するようにした消防服。
【請求項２】
前記ＩＤタグを上衣の襟の中に挿入した請求項１に記載の消防服。
【発明の詳細な説明】
【技術分野】
【０００１】
本発明は消防服に関し、さらに詳しくは、消防士毎に消防活動履歴を記録すると共に、適切な健康・安全管理を可能にする消防服に関する。
【背景技術】
【０００２】
消防士の活動は、単に火災の消火を行なうだけに止まらず、火災の拡大延焼を防止するため火中で建物の破壊撤去を行なったり、また火中に飛び込んで人命の救助を行なうなど多岐に渡っており、非常に危険にさらされることが多い。しかも、これらの消防活動は、全ての消防士が一律に経験するのではなく、個人毎に異なった経験をするというのが実情である
しかし、従来の消防士に対する健康・安全管理は全員に対して同一水準で一律に行なわれていたため、必ずしも個々の消防士の消火活動履歴に合った管理が行なわれているとはいえなかった。すなわち、各消防士の消火活動履歴は、消火作業を担当した火災の規模の違いや、作業場所における火勢の違いなどにより、人体に受ける影響はそれぞれ異なってくるので、一律に同一水準で健康・安全管理を行なったのでは、過酷な条件が重なった消防士などに障害が発生することが考えられる。
【発明の開示】
【発明が解決しようとする課題】
【０００３】
本発明の目的は、上述した従来の問題を解消し、消防士毎に消防活動履歴を記録すると共に、適切な健康・安全管理を可能にする消防服を提供することにある。
【課題を解決するための手段】
【０００４】
上記目的を達成する本発明の消防服は、データを記憶するＩＣチップとデータを非接触で送受信するアンテナを回路基板上に形成したＲＦＩＤ用のＩＤタグを服地の中に挿入し、該ＩＤタグが電源を内蔵したアクティブ型タグであり、少なくとも消防活動履歴を記録すると共に、各消防活動時の温度をセンシングし記録するようにしたことを特徴とするものである。
【発明の効果】
【０００５】
上述のように本発明の消防服によれば、ＲＦＩＤ用のＩＤタグを服地の中に挿入し、該ＩＤタグをアクティブ型タグとして少なくとも消防活動履歴の記録と共に、消防活動時に温度をセンシングし記録するようにしたので、そのＩＤタグには、その消防服を着用する消防士毎に消火活動履歴が記録され、かつ各火災活動毎に被った温度が記録される。したがって、各消防士が実際に被った熱量の大きさに応じて、適切な健康・安全管理を行なうことができる。
【発明を実施するための最良の形態】
【０００６】
図１は本発明の実施形態からなる消防服を例示したものである。
【０００７】
図１に示す消防服１０において、１は上衣、２は下衣（パンツ）である。その上衣１には、襟３の中にＲＦＩＤ用のＩＤタグ４が表地と裏地との間に挟まれるように挿入されている。
【０００８】
ここでＲＦＩＤ（Radio Frequency-Identification: 電波方式認識）とは、リーダライタ（アンテナ＋コントローラ）と、データを記憶するＩＣチップとデータを非接触で送受信するアンテナとを回路基板上に形成したＩＤタグとから構成され、無線方式によりデータを交信することができる自動認識技術をいう。このＲＦＩＤに使用されるＩＤタグには、タグ自身が電源を内蔵して自ら電波を飛ばすアクティブ型タグと、電源を内蔵しておらず、リーダライタ側が接近したときの電磁波により誘電して電波を飛ばすパッシブ型タグとがあるが、本発明の消防服に用いられるＩＤタグ４には前者のアクティブ型タグが使用される。このＩＤタグ４は、消防活動に出動する度にその履歴が入力し記録されると共に、各消防活動の際に被る火炎の温度がセンシング記録される。
【０００９】
このように上記消防服１０に挿入されたＩＤタグ４には、この消防服１０を着用する消防士が実際に行動した消防活動履歴が記録され、かつ各消防活動毎に被った温度が記録される。したがって、同消防士が実際に被った熱量に応じて適切な健康・安全管理を行なうことができる。
【００１０】
消防服１０にＩＤタグ４を挿入する場所としては、服地の中であれば上衣１および下衣２のいずれであってもよく、特に限定されるものではない。しかし、好ましくは、図示の例のように、襟３の中に挿入するのがよい。人間は顔に近い障害物に対しては最も敏感に反応し、これを避けるようとするので、顔に近い襟３にＩＤタグ４を挿入することにより、ＩＤタグ４に対する損傷を低減することができる。また、消防活動時に被る温度のセンシングにも有利にすることができる。
【図面の簡単な説明】
【００１１】
【図１】本発明の実施形態からなる消防服を例示したものである。
【符号の説明】
【００１２】
１  上衣
２  下衣
３  襟
４  ＲＦＩＤ用のＩＤタグ
１０  消防服
【図１】
2005146481.tif 000003
(57)【要約】【課題】空気の流動によって触媒反応を起こしマイナスイオンやラジカルを発生する触媒の溶液が開発された。これを布などのテキスタイル製品や紙、革、プラスチックやビニル製のフィルムなどといったシート状のものに対して単純に噴霧やディッピングなどを行った場合、溶液のロスが出てしまう。また触媒の膜厚をコントロールすることは難しい。さらにこの溶液は異なる種類のものと混ぜ合わせることができず同時に塗布することができない。【解決手段】ジェットプリンタにより極少量ずつの溶液を直接吹き付けていくことによって、溶液の飛散によるロスをなくし、溶液の塗布量をコントロールしつつ膜厚を調節することができる。また、各種溶液を異なった範囲に塗布していくことによって同時に塗布することを可能とする。そして、シートの必要となる部分のみに塗布することができる。【特許請求の範囲】
【請求項１】
空気の流動によって触媒反応を起こしマイナスイオンやラジカルを発生する触媒をジェットプリンタにより布などのテキスタイル製品や紙、革、プラスチックやビニル製のフィルムなどといったシート状のものに対して付着加工させる方法。
【請求項２】
請求項１に記載の方法で請求項１に記載の触媒を付着加工させた布などのテキスタイル製品や紙、革、プラスチックやビニル製のフィルムなどといったシート状の製品。
【発明の詳細な説明】
【技術分野】
【０００１】
空気の流動によって触媒反応を起こしマイナスイオンやラジカルを発生する触媒が開発され、その利用方法や付着加工方法について研究が進められている。この触媒は、光触媒とは異なり光を必要とせず、空気の流動、つまり微かな風さえあればマイナスイオンやラジカルを得られることから、その応用分野は多岐に渡りあらゆる産業分野での応用が期待される。
【背景技術】
【０００２】
この触媒溶液は噴霧やディッピング、スピニングなどによって基材へ付着加工させることができる。ただし、イオン反応を効率よく得るために基材へ可能な限り薄くこの溶液を広げることが求められる。
【発明の開示】
【発明が解決しようとする課題】
【０００３】
噴霧やディッピングによって溶液を塗布する場合、その塗布対象の形状については問題としない。しかし、噴霧を行った場合溶液のロスが出たり、ディッピングについては必要以上に付着させてしまったり、あるいは薄く広げるということは難しい、などといった問題がある。また、スピニングを行うには塗布対象を回転させる必要があり、塗布対象物が限定されてしまう。
特に、布などのテキスタイル製品や紙、革、プラスチックやビニル製のフィルムなどといったシート状のものに対して付着加工させようとした場合、上に挙げたような塗布方法では溶液塗布量のコントロールや付着した触媒の膜厚のコントロールということは難しい。
また、この触媒溶液は消臭、抗菌、防汚等その応用目的によって異なった種類の溶液を使用しなければならないが、これらの異なる溶液は混ぜ合わせることができない。このため、単純に塗布するだけでは同時にそれぞれの効果を得ることはできない。
【課題を解決するための手段】
【０００４】
噴霧ノズルと塗布対象物との間を短距離とし極少量ずつ触媒溶液を直接噴射することによって溶液の飛散によるロスをなくすことができる。さらに溶液の噴出単位を数ピコリットルまでにすれば溶液の塗布量をコントロールすることができ、塗布し過ぎることがなくなるため触媒を限りなく薄く広げることができる。また、噴霧ノズルを複数個同時に使用し、各ノズルに異なった塗布範囲を正確に指定することによって多種類の溶液を混ぜ合わせることなく限られた範囲に塗布することができる。
これらの全ての条件を満たしつつ触媒溶液を塗布するために、ジェットプリンターによって触媒溶液を布などのテキスタイル製品や紙、革、プラスチックやビニル製のフィルムなどといったシート状のものに塗布印刷を行う。
【発明の効果】
【０００５】
コンピュータ制御により複数のプリンタヘッドから正確な量の各触媒溶液を噴出させることができる。さらに各触媒溶液をそれぞれ任意の範囲へ正確に塗布していくことができるため、多数の溶液を混合することなく限られた範囲内へ塗布し、１枚のシートでそれぞれの効果を得ることができる。コンピュータ制御によって塗布量と範囲を精密にコントロールすることによって各触媒溶液の塗布量や範囲の比率を任意に変化させつつ、必要な場所にのみ塗布することができる。そして、シート状の製品は後に必要な形に切り離して使用されることがあるが、この必要な部分にのみ塗布することができる。
【発明を実施するための最良の形態】
【０００６】
テキスタイル製品用のジェットプリンタを利用することによって、紙のみでなく布やフィルム等に連続的に触媒溶液を塗布していくことができる。多種類の触媒溶液をコンピュータ制御により、例えば１平方センチメートルごとの範囲に塗り分けていくことによって、異なる溶液の同時使用が可能となる。
【産業上の利用可能性】
【０００７】
塗布過程での溶液のロスをなくすことができるばかりでなく、塗布量をコントロールしつつ触媒を薄く広くシート状のものへ付着加工させることができるようになる。さらにこれまで、単純に噴霧やディッピング、スピニングするだけでは難しかった、各種触媒溶液の同時塗布が可能となる。
これによって、この触媒の利用方法の幅が広がり、新たな産業分野への応用が期待されるようになる。
(57)【要約】      （修正有）【課題】子供の体および頭部を容易に拭くことができ、また簡単に作成できる幼児および子供用のバスローブを提供する。 【解決手段】バスタオルを利用して作成するので、素材的にもさほど厚くなく体を拭くのに適しており、また、バスローブ本体にフードを取り付けることによって頭部を拭くことが容易になる。さらに、袖を設けることにより、バスタオルでは拭きにくい脇の下が拭きやすくなるように、また、ウェスト部分を紐で締めることにより前がはだけるのを防げるように考案した。 【選択図】図１
2005146475.tif 000002
【特許請求の範囲】
【請求項１】
バスローブ本体部と、子供の頭部を拭くことができるフード部分を有している。
【請求項２】
上記バスローブは、バスタオル１枚から手軽に作成することができる幼児および子供用バスローブである。
【発明の詳細な説明】
【技術分野】
【０００１】
本発明は、幼児および子供用のバスローブに関するものである。
【背景技術】
【０００２】
幼児および子供用バスローブ
【特許文献１】実用新案公開平６−１０３１０
【発明の開示】
【発明が解決しようとする課題】
【０００３】
子供がお風呂から出てきて体を拭く場合、小学校にあがるくらいまでは親が体を拭いてあげていると思われる。しかし、歩き始めから５、６歳になるまでは体を拭くのをいやがり、逃げ回ることが多い。バスタオルで体や頭部を拭こうとしても、水分が残った状態で逃げ回り、首筋や脇の下、頭部などが拭き残ることになる。
【０００４】
そこで考えられるのが子供用のバスローブであるが、既製品の子供用のバスローブは大人用をそのまま子供用にしたもので、素材も厚めで子供の体が拭きにくくなっており、さらに、頭部を拭くためにタオルが必要である。また、子供の場合、バスローブを着てくつろぐというよりも、大人が体を拭いてあげることが目的になるため、大人用をそのまま子供用に作成したバスローブでは日本の生活様式や目的にそぐわない。
【０００５】
本発明は、上記の目的である子供の体および頭部を容易に拭くことができ、また簡単に作成できる幼児および子供用のバスローブとして発明されたものである。
【課題を解決するための手段】
【０００６】
バスタオルを利用して作成するので、素材的にもさほど厚くなく体を拭くのに適しており、また、バスローブ本体にフードを取り付けることによって頭部を拭くことが容易になる。さらに、袖を設けることにより、バスタオルでは拭きにくい脇の下が拭きやすくなるように、また、ウェスト部分を紐で締めることにより前がはだけるのを防げるように発明した。
【発明の効果】
【０００７】
バスタオルを利用して作成するバスローブなので、体を拭くのに適しており、バスローブ本体にフードを取り付けたことにより、容易に子供の頭部を拭くことが可能になるだけでなく、首筋の部分の水分も容易にふき取ることが可能となった。
【０００８】
袖を設けたことによって、脇の下の水分を容易にふき取ることができる。紐でウェスト部分を締めることにより、前がはだけるのを防ぐ。これにより、バスローブを着た子供が逃げ回っても、体や頭部の水分をふき取ることが容易となる。
【０００９】
バスタオルから作成できるので、子供の好きなキャラクターや模様、柄のついたオリジナルのバスローブを作成することが可能であるため、バスローブをいやがらずに着用するようになる。
【００１０】
そして、バスタオルのサイズは様々用意されているので、子供の成長に合わせたサイズのバスタオルを利用することにより、市販のバスローブを購入するよりも安価で使用しやすいバスローブを手にすることが可能になる。
【００１１】
製作するにあたっては、バスタオルの端を利用して製作できるデザインにしているために、縫製が少なく比較的簡単に製作できる。
【実施例】
【００１２】
以下、本案の実施例について説明する。
（イ）子供にバスローブを着せ紐で結ぶと、前がはだけるのを防ぐことができる。
（ロ）フードをかぶせることにより子供の頭部の水分をふき取ることができるようになっただけではなく、あごの下や首筋の部分の水分も容易にふき取ることが可能となる。
（ハ）バスタオルから作成しているので体の水分がふき取りやすく、着せた上から軽く押さえつける程度で体の水分をふき取ることができる。
（ニ）袖を設けているので、手を伸ばしバスローブの上から軽く押さえるだけで拭きにくかった脇の下の水分をふき取ることが可能となった。
（ホ）前がはだけるのを防ぐために、紐の代わりにスナップボタンやマジックテープを利用することが考えられる。
【図面の簡単な説明】
【００１３】
【図１】前身ごろの様子。
【図２】後ろ見ごろの様子。
【図３】実際に子どもが着た状態を前から見た様子。別布で紐を作りベルトとして結んでいる。
【図１】
2005146475.tif 000003
【図２】
2005146475.tif 000004
【図３】
2005146475.tif 000005
(57)【要約】【目的】十字キーは操作の構造上、開口部を必要とするが、隙間が無く、防塵・防滴性・電磁シールド性の良い十字キーユニットを得る。【構成】複数の機能を持ち、該機能が十字キーの傾斜によって操作される十字キースイッチであって、十字キー１の底部に変形可能な導電性シート部材２を配し、十字キー１と共に可動させる一方、導電性シート部材２を十字キーユニットを保持するベース部７に圧接する金属薄板Ｂ５を設け、ベース部７をアースとする。十字キー１の下方向を押すと、十字キー１はタクトスイッチ８の可動部を中心として傾き、導電部材２及び金属薄板Ａ３もそれに付随して十字キー１との接触部が傾くが、導電部材２はベース部７に金属薄板Ｂ５で固定されているため、十字キーユニット部の防塵、防滴、電磁シールド性は保たれる。【選択図】図２
2005078916.tif 000002
【特許請求の範囲】
【請求項１】
複数の機能を持ち、該機能が十字キーの傾斜によって操作される十字キースイッチにおいて、十字キーの底部に変形可能な導電性シート部材を配し、十字キーと共に可動させる一方、導電性シート部材を十字キーユニットを保持するベース部に圧接する手段を設け、該ベース部をアースとしたことを特徴とする十字キーユニット。
【発明の詳細な説明】
【技術分野】
【０００１】
本発明は、カメラ等の電子機器に使用される十字キーユニットを有する電子機器スイッチ構造に関し、特に、防塵・防滴・電磁シールド機能を有する電子機器スイッチ構造に関するものである。
【背景技術】
【０００２】
従来よりカメラをはじめとする電子機器においては、機器の小型化や操作性の向上、感触の向上などのために、十字キーを用いた複数のモード選択を行うことが知られている。図５は十字キーの構成の従来例を示す断面図である。図５において、２１はスイッチ操作を行う十字キー、２２は電子機器の外形部材、２３はタクトスイッチ、２４は該タクトスイッチが実装されている基盤である。十字キー２１はタクトスイッチ２３の可動軸を中心に可動し、操作する。十字キー２１は多方向に操作する必要性から外形部材２２と十字キー２１の間には隙間が形成されている。十字キー２１が操作された際、外形部材２２との隙間が目立つため十字キー２１の外周部には実装基盤２４を外観側から見えなくするつば形状の突起２１ａが付けられている。しかし、つば形状の突起２１ａを設けても、この隙間から静電気が侵入し、静電気により内部機器が誤動作を起こす問題があり、特開２００１−４３７６４号公報として、帯電防止処理をした樹脂シートをスイッチとつまみ間の隙間から侵入する静電気の影響を防止する領域に組み込んだものが知られている。
【０００３】
【特許文献１】特開２００１−４３７６４号公報
【発明の開示】
【発明が解決しようとする課題】
【０００４】
従来の十字キーは操作の構造上、開口部を必要とし、隙間が目立ち外観性が悪い、防塵・防滴性が悪い、電磁シールド性が悪いなどの問題点がある。また、電子機器の小型化により、十字キーもプラスチックなどの絶縁体で成形されることが多く、十字キーの表面から、電子基盤や、電子部品との距離が近くなり、操作者の身体に帯電した静電気、ゴミ、挨といったものが電子機器の内部に進入しやすくなり、帯電防止処理をした樹脂シートをスイッチとつまみ間の隙間から侵入する静電気の影響を防止する領域に組み込んでも、なお内部の電子回路に影響を与える問題がある。
【課題を解決するための手段】
【０００５】
本発明は、上記の事情に鑑みて成されたものであり、十字キーの底部に導電性のシート部材を配し、十字キーと共に可動させる一方、導電性のシート部材を該導電性のシート部材によって十字キーユニットを保持するベース部に圧接して固定する手段を設け、防塵、防滴性を高め、さらに該ベース部をアースとして静電気を逃がすことを可能とした。
【発明の効果】
【０００６】
本発明の十字キーユニットにおいては、スイッチ操作のための十字キーの底部の導電性シート部材としてゴム製の導電部材２を配し、ゴム製の導電部材２を保持するベース部７にアースを逃がすことにより、十字キーユニットに防塵、防滴、電磁シールド性を持たせることが可能となり、なおかつ優れた外観性を持たせることも可能となった。
【０００７】
尚、実施例ではゴム製の導電部材２の取り付け方式にビス４を使用したが、導電性が確保できれば接着・溶着であっても構わない。また、シート部材は導電性を得るために導電性の塗料を塗布しても同様の効果が得られる。
【発明を実施するための最良の形態】
【０００８】
以下、図面を参照して本発明のもっとも良好な実施形態を説明する。
図１はタクトスイッチを利用した、５方向（上・下・左・右・中心）十字キーユニットの構成を示す分解斜視図である。図２は十字キーが押されていない状態の十字キーユニットの断面図、図３は十字キーの下部が押された状態での十字キーユニットの断面図、図４は十字キーの中心が押された状態での十字キーユニットの断面図である。
【０００９】
図１において、使用者が直接指で押す十字キー１は、一体形状でありながら上下左右と中心の５ケ所それぞれにスイッチとしての機能を有する。また、２はゴム製の導電部材であり、３はゴム製の導電部材２を十字キー１に固定するための金属薄板Ａである。５はゴム製の導電部材２をベース部材に圧接して固定するための金属薄板Ｂである。また、４、６はそれぞれの導電部材２を固定するためのビスである。なお、ここでは金属薄板Ａ３は導電性のある金属であるが、ゴム性の導電部材２が十字キー１に固定できれば非導電性でも良い。同様に金属薄板Ｂ５に関しても、ゴム製の導電部材２からベース部７へのアースが十分に機能していれば非導電性でも良い。
【００１０】
この５方向十字キーユニットを使用する場合、使用者はこの５ケ所のボタンの内ある任意の１ケ所を指で押す。例えば十字キーの下方向を押すと、十字キー１が図３に示すようにタクトスイッチ８の可動部を中心として傾き、ゴム製の導電部材２及び金属薄板Ａ３もそれに付随して前記十字キー１との接触部が傾くが、ゴム製の導電部材２はベース部７に金属薄板Ｂ５で固定されているため、十字キーユニット部の防塵、防滴、電磁シールド性は保たれる。金属薄板Ｂ５には、十字キー１が強く押された際、金属薄板Ａ３がタクトスイッチ８が実装されている基盤９に接触しないよう、ストッパーが設けられている。また、同様に十字キー１の中心部を押すと、十字キーが図４に示すように、下方向を押したのと同様の防塵、防滴、電磁シールド性が保たれる。
【図面の簡単な説明】
【００１１】
【図１】本発明の十字キーユニットの分解斜視図である。
【図２】十字キーユニット断面図（平常状態）である。
【図３】十字キーユニット断面図（下が押されたとき）である。
【図４】十字キーユニット断面図（中央が押されたとき）である。
【図５】従来例を示す十字キーユニット断面図である。
【符号の説明】
【００１２】
１  十字キー
２  導電部材
３  金属薄板Ａ
５  金属薄板Ｂ
７  ベース部
８  タクトスイッチ
９  基盤
【図１】
2005078916.tif 000003
【図２】
2005078916.tif 000004
【図３】
2005078916.tif 000005
【図４】
2005078916.tif 000006
【図５】
2005078916.tif 000007
(57)【要約】【課題】  ＩＤ・パスワードを覚えなくても、複数のサービスを受けることができるシステムを提供すること。【解決手段】  本発明は、クライアントの情報機器から個体情報を入力し、認証サーバーにその情報を送り、認証サーバーで個体情報を検索し、一致した個体情報により、本人確認をする。認証サーバーもしくはポータルサイトサーバーには個体情報とその個体情報に許可してあるサービスの情報が保管されており、サービスを提供しているサーバーにサービスの提供の許可の信号を送ることによってクライアントがサービスの提供を受けれるようにする。【選択図】図１
2005078270.tif 000002
【特許請求の範囲】
【請求項１】
個体情報を入力し、その個体情報よりＩＤを決定し、そのＩＤを用いてあらかじめサーバー登録済みのリストと照合し、一致したＩＤに対応した、サーバー登録済みの個体情報と入力した個体情報を照合し、認証をする。そしてＩＤ別に登録してあるサービスを別のサーバーに通知するシステム。
【請求項２】
個体情報を入力し、その入力データをサーバー登録済みの複数の個体情報と照らし合わせる。サーバ-で一致した個体情報に基づき、個体情報別に登録してあるサービス名を別のサーバーに通知するシステム
【発明の詳細な説明】
【技術分野】
【０００１】
本発明は個人認証システムに関するもので、クライアント・サーバー間で認証のやり取りをするシステムである。
【背景技術】
【０００２】
従来のシステムは認証の際、ＩＤとパスワードで行っている。
ネットワークに接続されたＰＣにＩＤとパスワードを入力し、一致すればシステムに入ることができ、サービスを受けることができる。
【０００３】
しかし、ＩＤ・パスワードを本人が忘れてしまった場合には、再登録の必要がある。
【０００４】
また管理者がＩＤ・パスワードを保管していると、ＩＤ・パスワードが外部に漏れる可能性が大きい。
【０００５】
また現在ネットワーク上にいろいろなサービスがあり、そのサービスごとにＩＤが相違している。ユーザーがパスワードをすべて同じにしようとしてもサービスごとにパスワードの長さや数字を混ぜなければいけないとかあり、同じにできない。サービスによっては３ヶ月毎に更新を要求してくるものもある。
【０００６】
これらはユーザーに負担をかけている。さらにＩＤ・パスワードには盗難の恐れがあり、盗難されると「なりすまし」ということも発生する欠点をもっている。
【発明の開示】
【発明が解決しようとする課題】
【０００７】
ＩＤ・パスワードを覚えなくても、複数のサービスを受けることができるシステムを提供すること。
【課題を解決するための手段】
【０００８】
本発明は、クライアントの情報機器から個体情報を入力し、認証サーバーにその情報を送り、認証サーバーで個体情報を検索し、一致した個体情報により、本人確認をする。
【０００９】
認証サーバーもしくはポータルサイトサーバーには個体情報とその個体情報に許可してあるサービスの情報が保管されており、サービスを提供しているサーバーにサービスの提供の許可の信号を送ることによってクライアントがサービスの提供を受けれるようにする。
【発明の効果】
【００１０】
本発明により、サービスを受けたい人がＩＤ・パスワードを覚えることなく、本人自ら備えている個体情報によって許可されたサービスの提供を受けることができる。
【発明を実施するための最良の形態】
【００１１】
以下に本発明の実施例につき図面を参照しつつ説明する。
【００１２】
図１は本発明の実施例のシステム構成を示す図である。サイン入力装置２、５を備えた複数のクライアント機器1、４がインターネット7に接続されている。
【００１３】
個人のサインデータが保存してある認証サーバー8もインターネット７に接続されている。
【００１４】
また銀行取引や証券取引等のサービスサーバー9,10もインターネットに接続している。
【００１５】
認証サーバー８とサービスサーバー９，１０は専用回線で接続されている。
【００１６】
図２は本発明の実施例の動作を説明するためのフローチャートである。
【００１７】
使用者３がクライアント１にサイン入力装置２に入力する。（Ｓ１）
【００１８】
クライアント１はサインから氏名を文字認識する。（Ｓ２）
【００１９】
その文字認識結果の氏名とサインデータを暗号化し（Ｓ３）、インターネット７を使って氏名とサインデータを認証サーバー８に伝える。（Ｓ５）
【００２０】
認証サーバー８では、受け取った氏名とサインデータを、認証サーバー８にあらかじめ保存されている氏名のデータベースを検索し個人を特定する。その後サインデータで本人確認をする。（Ｓ６）
【００２１】
認証サーバーは一致した氏名に付随するサービス許可表に基づき、クライアント１にパターンが一致した使用者3のポータルサイトデーターを送信する。（Ｓ７）
【００２２】
クライアント１は受信したデータに基づきポータルサイトを表示する。（Ｓ８）
【００２３】
表示されたポータルサイトには許可されたサービスが登録されており、使用者はそのサービス名を選択すると（Ｓ９）、選択されたサービス名に対応したサービスサーバー９または１０にサービス許可信号を送る。（Ｓ１０）
【００２４】
サービスサーバー９または１０は受信したサービス許可信号に基づき、サービスデータをクライアント1に送り（Ｓ１１）,クライアント１は受信したサービスデータをもとにサービスの処理を実施する。（Ｓ１２）
【００２５】
なおここでは氏名はＩＤとしてもよく、特に同姓同名の場合があるのでそのときはサインを文字認識した際に重複しないものに変更する。
【産業上の利用可能性】
【００２６】
システムの使用者がＩＤ,パスワードを覚えることなく、本人確認ができ、メニューを選択するだけでサービスが受けられる。
【図面の簡単な説明】
【００２７】
【図１】本発明の実施例の概略システム構成図である。
【図２】本発明の実施例の動作を示すフローチャートである。
【符号の説明】
【００２８】
１、４  クライアント    
２、５  サイン入力装置
３、６  使用者
７  インターネット
８  認証サーバー
９、１０  サービスサーバー
【図１】
2005078270.tif 000003
【図２】
2005078270.tif 000004